(57)【要約】【課題】  本考案は、部品点数が少なくて組立性に優れていると共に、キートップの初期状態における高さを低くして薄型化が可能なキースイッチ、およびこれを用いた座標入力装置を提供すること。【解決手段】  本考案のキースイッチ１は、トーションバー８には、横長状の第１ピン８ａと、この第１ピン８ａの長手方向の両端部からキートップ５、６の短手方向に延びる一対の第２ピン８ｂ、８ｂとが形成され、レバーリンク９には、トーションバー８の第１ピン８ａと直交する方向に一対の回動軸９ａ、９ａが形成されると共に、回動軸９ａの反対側に形成されて基材２にスライド自在に支持可能な一対のスライド軸９ｂ、９ｂが形成されている。【選択図】        図２
0003114445.tif 000002
【実用新案登録請求の範囲】
【請求項１】
基材上に昇降自在に配設された横長状のキートップと、このキートップを上方に弾性付勢して前記キートップの押圧操作で直接操作可能なスイッチ装置と、前記キートップを前記基材に対して昇降自在に保持するトーションバーとレバーリンクとを備え、
前記トーションバーには、前記キートップ裏面の横長方向に形成した第１支持部に回動自在に支持可能な横長状の第１ピンと、この第１ピンの長手方向の両端部から前記キートップの短手方向に延びる一対の第２ピンとが形成され、前記第２ピンの先端部が前記基材にスライド自在に支持され、
前記レバーリンクには、前記トーションバーの前記第１ピンと直交する方向で前記キートップ裏面の短手方向に形成した第２支持部に回動自在に支持可能な一対の回動軸が形成されると共に、前記回動軸の反対側に形成されて前記基材にスライド自在に支持可能な一対のスライド軸が形成されていることを特徴とするキースイッチ。
【請求項２】
前記基材には、前記キートップが所定高さ以上に上昇するのを規制可能なストッパー部が形成されていることを特徴とする請求項１記載のキースイッチ。
【請求項３】
前記基材の下部には回路基板が配設され、前記スイッチ装置は、前記キートップ裏面の略中央部と対向する前記回路基板上に取り付けられ、前記リンクレバーは、一対の前記回動軸がスイッチ装置近傍の前記キートップ裏面に回動自在に支持されていることを特徴とする請求項１、又は２記載のキースイッチ。
【請求項４】
前記トーションバーは、金属棒からなり、長尺状の前記第１ピンの両端部を略コ字状に折り曲げて一対の前記第２ピンを形成したことを特徴とする請求項１乃至３の何れかに記載のキースイッチ。
【請求項５】
前記リンクレバーは、樹脂材料からなり、一対の前記回動軸間に前記スイッチ装置を配設したことを特徴とする請求項１乃至４の何れかに記載のキースイッチ。
【請求項６】
前記スイッチ装置は、前記キートップが押圧することで反転可能な反転部材を有し、前記キートップを押圧操作して前記反転部材が反転すると、前記回路基板に形成した一対の接点部が電気的に接続することを特徴とする請求項３乃至５の何れかに記載のキースイッチ。
【請求項７】
前記基材には、前記スイッチ装置を位置決め可能な位置決め部が形成されていることを特徴とする請求項１乃至６のいずれか１項に記載のキースイッチ。
【請求項８】
前記キートップの裏面には、所定高さで突出する複数の位置決めボス部が形成され、前記基材には、前記位置決めボス部が嵌合して前記キートップが前記昇降可能な複数の軸孔が形成されていることを特徴とする請求項１乃至７の何れか１項に記載のキースイッチ。
【請求項９】
ベースプレートと、このベースプレート上に載置されて所望の座標入力が可能な操作面を有する入力部とを備え、この入力部から一方側に延出形成した前記ベースプレート上には、請求項１乃至８の何れか１項に記載のキースイッチを配設したことを備えたことを特徴とする座標入力装置。
【請求項１０】
前記ベースプレートと前記基材との間には、前記入力部からの入力信号を取り出し可能な回路部を有する回路基板が配設され、前記回路基板、又は前記基材のいずれか一方に前記スイッチ装置を取り付け可能としたことを特徴とする請求項９記載の座標入力装置。
【考案の詳細な説明】
【技術分野】
【０００１】
本考案はノート型パソコン等に用いられるキースイッチ、及びこれを用いた座標入力装置に関する。
【背景技術】
【０００２】
従来のキースイッチ３０は、図４、図５に示すように、長尺状のキートップ３１が配設され、このキートップ３１の離面には、一対の回動支持部３１ａ、３１ａとステム部３１ｂとが形成されている。
そして、一対のスライド支持部３１ａ、３１ａには、キートップ３１の横長方向に沿って横長で長尺状の第１支持ピン３２ａをスナップ係止したトーションバー３２が配設されている。前記トーションバー３２は、第１支持ピン３２ａの両端部からキートップ３１の短手方向に延びる短尺状の一対の第２支持ピン３２ｂ、３２ｂが形成され、この第２支持ピン３２ｂの先端部が互いに対向する方向に内側に折り曲げされてスライドピン３２ｃが形成されている。
【０００３】
また、キートップ３１のステム部３１ｂには、互いの交叉部位をパンタグラフ状に組合せした第１、第２リンク３２、３４の上端部が支持され、第１、第２リンク３２、３４の下端部側がホルダー部材３５に支持されている。
また、ホルダー部材３５の下部には、ＦＰＣ３６が配設され、このＦＰＣ３６がベースプレート３７上に載置されている。
そして、ベースプレート３７の一部を上方に切り曲げして形成した係止部３７ａが、ＦＰＣ３６を貫通して形成されている。
【０００４】
前記トーションバー３２は、スライドピン３２ｃがキートップ３１のスライド支持部３１ａに支持されてスライド自在になっており、第１支持ピン３２ａが係止部３７ａに回動自在に支持されている。
また、キートップ３１裏面の略中央部と対向する部分のＦＰＣ３６上に、内部が空洞状の弾性部材３８が接着剤等で固着されている。前記弾性部材３８は、内部の空洞部の天井部に電極部が形成されている。
【０００５】
また、第１リンク３３には、弾性部材３８の頂部を押圧可能な押圧部３３ａが形成され、キートップ３１を押圧操作して、第１、第２リンク３３、３４が傾倒することで押圧部３３ａが弾性部材３８を押圧するようになっている。
また、弾性部材３８の空洞部内の電極部と対向する部分のＦＰＣ３６上には、互いに絶縁された一対の接点部（図示せず）が形成され、弾性部材３８の頂部がキートップ３１に押圧されると、電極部が一対の接点部に接続してスイッチ回路が切り換わるようになっている。
【０００６】
このような従来のキースイッチ３０の動作は、所定高さで上昇した初期状態にある水平状態のキートップ３１を押圧操作すると、トーションバー３２と第１、第２リンク３３、３４とが傾倒する。このことにより、押圧部３３ａが弾性部材３８の頂部を押圧して、弾性部材３８が弾性変形して反転する。
すると、弾性部材３８の空洞部内の電極が一対の接点部して、一対の接点部が電気的に接続してスイッチ回路が切り換わる。
【０００７】
このような従来のキースイッチ３０は、ノートパソコン等のディスプレー上のカーソル等を所望の位置に移動させることができる座標入力装置（図示せず）に用いられており、座標入力装置の尾須佐面上を操作者の指等を移動させることで、ディスプレー上の所望の位置に移動させたカーソル等を決定できるようになっている。
【特許文献１】特開２００３−１２３５７７号公報
【考案の開示】
【考案が解決しようとする課題】
【０００８】
しかし、従来のキースイッチ３０は、トーションバー３２と第１、第２リンク３３、３４の３つの部材によって、キートップ３１が水平状態で昇降自在に支持されているので、キートップ３１を昇降自在に支持する部材が３つとなり、部品点数が多くなってコストアップになる問題があった。
また、第１、第２リンク３３、３４をパンタグラフ状に組み合わせていたので組立性が悪かった。
更に、弾性部材３８は、キートップ３１が直接押圧するのでなく、第１、第２リンク３３、３４を介して押圧していたので、押圧操作する間の初期状態のキートップ３１の高さが高くなりキースイッチ３０の薄型化が難しいという問題があった。
本考案は前述したような課題を解決し、部品点数が少なくて組立性に優れていると共に、キートップの初期状態における高さを低くして薄型化が可能なキースイッチ、およびこれを用いた座標入力装置を提供することを目的とする。
【課題を解決するための手段】
【０００９】
前記課題を解決するための第１の手段として本考案のキースイッチは、基材上に昇降自在に配設された横長状のキートップと、このキートップを上方に弾性付勢して前記キートップの押圧操作で直接操作可能なスイッチ装置と、前記キートップを前記基材に対して昇降自在に保持するトーションバーとレバーリンクとを備え、
前記トーションバーには、前記キートップ裏面の横長方向に形成した第１支持部に回動自在に支持可能な横長状の第１ピンと、この第１ピンの長手方向の両端部から前記キートップの短手方向に延びる一対の第２ピンとが形成され、前記第２ピンの先端部が前記基材にスライド自在に支持され、
前記レバーリンクには、前記トーションバーの前記第１ピンと直交する方向で前記キートップ裏面の短手方向に形成した第２支持部に回動自在に支持可能な一対の回動軸が形成されると共に、前記回動軸の反対側に形成されて前記基材にスライド自在に支持可能な一対のスライド軸が形成されていることを特徴とする。
また、前記課題を解決するための第２の手段として、前記基材には、前記キートップが所定高さ以上に上昇するのを規制可能なストッパー部が形成されていることを特徴とする。
また、前記課題を解決するための第３の手段として、前記基材の下部には回路基板が配設され、前記スイッチ装置は、前記キートップ裏面の略中央部と対向する前記回路基板上に取り付けられ、前記リンクレバーは、一対の前記回動軸がスイッチ装置近傍の前記キートップ裏面に回動自在に支持されていることを特徴とする。
【００１０】
また、前記課題を解決するための第４の手段として、前記トーションバーは、金属棒からなり、長尺状の前記第１ピンの両端部を略コ字状に折り曲げて一対の前記第２ピンを形成したことを特徴とする。
また、前記課題を解決するための第５の手段として、前記リンクレバーは、樹脂材料からなり、一対の前記回動軸間に前記スイッチ装置を配設したことを特徴とする。
また、前記課題を解決するための第６の手段として、前記スイッチ装置は、前記キートップが押圧することで反転可能な反転部材を有し、前記キートップを押圧操作して前記反転部材が反転すると、前記回路基板に形成した一対の接点部が電気的に接続することを特徴とする。
【００１１】
また、前記課題を解決するための第７の手段として、前記基材には、前記スイッチ装置を位置決め可能な位置決め部が形成されていることを特徴とする。
また、前記課題を解決するための第８の手段として、前記キートップの裏面には、所定高さで突出する複数の位置決めボス部が形成され、前記基材には、前記位置決めボス部が嵌合して前記キートップが前記昇降可能な複数の軸孔が形成されていることを特徴とする。
【００１２】
また、前記課題を解決するための第９の手段として本考案の座標入力装置は、ベースプレートと、このベースプレート上に載置されて所望の座標入力が可能な操作面を有する入力部とを備え、この入力部から一方側に延出形成した前記ベースプレート上には、請求項１乃至８の何れか１項に記載のキースイッチを配設したことを備えたことを特徴とする。
また、前記課題を解決するための第１０の手段として本考案の座標入力装置は、前記ベースプレートと前記基材との間には、前記入力部からの入力信号を取り出し可能な回路部を有する回路基板が配設され、前記回路基板、又は前記基材のいずれか一方に前記スイッチ装置を取り付け可能としたことを特徴とする。
【考案の効果】
【００１３】
本考案のキースイッチのトーションバーには、キートップ裏面の横長方向に形成した第１支持部に回動自在に支持可能な横長状の第１ピンと、この第１ピンの長手方向の両端部からキートップの短手方向に延びる一対の第２ピンとが形成され、第２ピンの先端部が基材にスライド自在に支持され、
レバーリンクには、トーションバーの第１ピンと直交する方向でキートップ裏面の短手方向に形成した第２支持部に回動自在に支持可能な一対の回動軸が形成されると共に、回動軸の反対側に形成されて基材にスライド自在に支持可能な一対のスライド軸が形成されているので、キートップは、トーションバーとレバーリンクの２つの部材によって、水平状態で昇降自在に支持することができ、部品点数が少なくてコストダウンが可能である。
更に、トーションバーとレバーリンクとが、従来例のようにパンタグラフ状に組合されてないので、組立性に優れている。
また、基材には、キートップが所定高さ以上に上昇するのを規制可能なストッパー部が形成されているので、トーションバー、又はレバーリンクでキートップの高さを規制しなくても良く、トーションバー、又はレバーリンクの寸法精度を高精度に形成しなくても、キートップの上昇位置を常に同じ高さとすることができる。
【００１４】
また、基材の下部には回路基板が配設され、スイッチ装置は、キートップ裏面の略中央部と対向する回路基板上に取り付けられ、リンクレバーは、一対の回動軸がスイッチ装置近傍のキートップ裏面に回動自在に支持されているので、キートップを水平状態で昇降させてスイッチ装置を押圧操作することができる。
また、トーションバーは、金属棒からなり、長尺状の第１ピンの両端部を略コ字状に折り曲げて一対の第２ピンを形成したので、加工が容易である。
また、リンクレバーは、樹脂材料からなり、一対の回動軸間にスイッチ装置を配設したので、キートップが直接スイッチ装置を押圧操作することができ、薄型化が可能なキースイッチを提供できる。
【００１５】
また、スイッチ装置は、キートップが押圧することで反転可能な反転部材を有し、キートップを押圧操作して反転部材が反転すると、回路基板に形成した一対の接点部が電気的に接続するので、キートップの押圧操作で確実にスイッチ回路を切り換えできる。
また、基材には、スイッチ装置を位置決め可能な位置決め部が形成されているで、組立が容易である。
また、キートップの裏面には、所定高さで突出する複数の位置決めボス部が形成され、基材には、位置決めボス部が嵌合してキートップが昇降可能な複数の軸孔が形成されているので、組立字のキートップの位置決めが容易であると共に、キートップを水平状態で昇降させることができる。
【００１６】
また、ベースプレートと、このベースプレート上に載置されて所望の座標入力が可能な操作面を有する入力部とを備え、この入力部から一方側に延出形成した前記ベースプレート上には、請求項１乃至８の何れか１項に記載のキースイッチを配設したので、座標入力装置で所望の位置にドラッグしたカーソル、あるいは画像を本考案キースイッチで容易に決定することができる。
また、ベースプレートと基材との間には、入力部からの入力信号を取り出し可能な回路部を有する回路基板が配設され、回路基板、又は基材のいずれか一方にスイッチ装置を取り付け可能としたので、用途によってスイッチ装置の取り付けを換えることができ、設計の自由度を向上できる。
【考案を実施するための最良の形態】
【００１７】
以下、本考案のキースイッチ及びこれを用いた座標入力装置の一実施の形態を図面に基づいて説明する。
図１は本考案のキースイッチを用いた座標入力装置の斜視図であり、図２は図１の分解斜視図であり、図３は本考案の座標入力装置を用いたノートパソコンの斜視図である。
【００１８】
まず、本考案のキースイッチ１は、モールドからなる板状の基材２が配設され、この基材２には、後述する小型の押し釦スイッチ等からなるスイッチ装置７を位置決め可能な略矩形状の一対の第１、第２位置決め部３、４が貫通形成され、第１位置決め部３の矢印Ｘ方向の両外側の基材２には、所定の孔径からなる第１、第２軸孔２ａ、２ｂが貫通形成され、第２位置決め部４の矢印Ｘ方向の両外側の基材２には、第１、第２軸孔２ａ、２ｂと同寸法の第３、第４軸孔２ｃ、２ｄが貫通形成されている。
【００１９】
また、第１〜第４軸孔２ａ〜２ｄのＹ方向の奥側近傍には、後述するトーションバーＸの第２ピンＸをスライド自在に支持可能な４個の第１スライド支持部２ｅが形成されている。
また、第１位置決め部３近傍の第２軸孔２ｂと第２位置決め部４近傍の第４軸孔３ｄとのＹ方向には、後述するレバーリンク９のスライド軸９ｂをスライド自在に支持可能な第２スライド支持部２ｆ、２ｆがそれぞれ形成されている。
また、基材２には、後述する第１、第２キートップ５、６が所定高さ以上に上昇するのを規制可能な複数のストッパー部２ｇが形成されている。
【００２０】
また、基材２上には、昇降自在に支持されたＸ方向に横長状で矩形状の樹脂材料からなる第１、第２キートップ５、６が直列状に並設されている。
前記第１、第２キートップ５、６の裏面側には、後述するトーションバー８の横長状の第１ピン８ａを回動自在に支持可能な第１支持部（図示せず）と、後述するレバーリンク９の回動軸９ａを回動自在に支持可能な第２支持部（図示せず）とが形成されている。
また、第１、第２キートップ５、６には、基材２に形成した複数のストッパー部２ｇに係合可能な位置規制部５ａ、６ａが所定高さで突出形成されている。
また、第１、第２キートップ５、６の裏面には、第１〜第４軸孔２ａ〜２ｄに嵌合して、第１、第２キートップ５、６を水平状態で昇降可能な複数の位置決めボス部（図示せず）が形成されている。
【００２１】
前記基材２の第１、第２位置決め孔３、４の一部には、第１、第２キートップ５、６を上方に弾性付勢する小型の押し釦スイッチからなるスイッチ装置７、７が配設されている。
前記スイッチ装置７は、第１、第２キートップ５、６を押圧することで反転可能な図示を省略した反転部材（例えばドーム状のメタルコンタクト）を有し、第１、第２キートップ５、６を押圧操作して反転部材が反転すると、スイッチ装置７のスイッチ回路が切り換わるようになっている。
【００２２】
また、第１、第２キートップ５、６は、ピアノ線等の金属棒からなるトーションバー８と、樹脂材料からなるレバーリンク９とに支持されて、スイッチ装置７の弾性力で、基材２に対して昇降自在に支持されている。
前記トーションバー８には、長尺状の第１ピン８ａの両端部を略コ字状に折り曲げて互いに対向する一対の第２ピン８ｂ、８ｂが形成され、第２ピン８ｂ、８ｂの先端部を互いに対向する内向きに折り曲げて、スライドピン８ｃが形成されている。
【００２３】
このようなトーションバー８は、第１、第２キートップ５、６の裏面に形成した第１支持部（図示せず）に第１ピン８ａが回動自在に支持されると共に、スライドピン８ｃが基材２に形成した第１スライド支持部２ｅにスライド自在に係合可能になっている。
また、リンクレバー９は、トーションバー８の横長状の第１ピン８ａと直交する方向で、第１、第２キートップ５、６裏面の短手方向の両端部側に形成された第２支持部（図示せず）に回動自在に支持可能な一対の回動軸９ａ、９ａが形成されと共に、回動軸９ａ、９ａと反対側に、基材２の第２スライド支持部２ｆ、２ｆにスライド自在に支持可能な一対のスライド軸９ｂ、９ｂが形成されている。
【００２４】
また、基材２の下部には、スイッチ装置７側の接点部（図示せず）に接続された複数の回路パターン（図示せず）を引き回し形成するＦＰＣ（フレキシブル基板）等からなる回路基板１０が配設されている。
このような本考案のキースイッチ１は、２つのトーションバー８とレバーリンク９とで、第１、第２キートップ５、６を水平状態で昇降自在に支持することができ、部品点数を削減できる。
更に、第１、第２キートップ５、６が直接スイッチ装置７を押圧でき、初期状態における第１、第２キートップ５、６の高さを低くでき、キースイッチ１の薄型化が可能である。
【００２５】
このような本考案のキースイッチ１を用いた座標入力装置１１は、例えば、面積の広い矩形状の入力部１２が形成され、この入力部１２は、表面にフィルム基板１２ａが配設され、このフィルム基板１２ａの下部には、一方の面にＸ方向に直線状に延びる複数の一方の電極と、他方の面にＹ方向に直線状に延びる複数の他方の電極とをマトリックス上に対向して形成したフィルム状の絶縁基板が配設されている。
前記マトリックス状の一方と他方の電極を有する絶縁基板は、下部側の絶縁シートを介してアルミニウム等の金属板からなるベース板１３に載置されている。また、座標入力装置１１には、入力部１２の奥側にＲＯＭ等の制御部１４が載置されて、それぞれの電極に接続されている。
【００２６】
このような本考案の座標入力装置１１は図３に示すようなノートパソコン１５に搭載されている。前記ノートパソコン１５は、本体ケース１６と、この本体ケース１６に組み込まれた本考案のキースイッチ１を搭載した座標入力装置１１と、キーボード装置１７と、液晶ディスプレイ等の表示部１８とを主体に構成されている。
そして、座標入力装置１１のフィルム基板１２ａ上に操作者の指等を位置させ、この指をフィルム基板１２ａに沿って滑らせることで、指の移動に追従して一方と他方の電極間の静電容量が変化する。
この静電容量の変化を制御部１４が検出することで、表示部１７に表示されたカーソル、あるいは画像等を所望の位置まで移動（ドラッグ）させることができる。
【００２７】
そして、所望の位置までカーソル、あるいは画像をドラッグ後に、第１キートップ５、又は第２キートップ６を押圧して、スイッチ装置７のスイッチ回路を切り換えることで、所望の位置にドラッグさせたカーソル、あるいは画像を決定することができる。
このような本考案のキースイッチ１を用いた座標入力装置１１は、キートップ５、６が直接スイッチ装置７を押圧するので、薄型化が可能である。
【図面の簡単な説明】
【００２８】
【図１】本考案のキースイッチの概略図である。
【図２】本考案のキースイッチの印刷動作を説明する概略図である。
【図３】本考案に係わるリボンガイドの正面図、下面図、側面図である。
【図４】従来のキースイッチを説明する概略図である。
【図５】従来のキースイッチの要部断面図である。
【符号の説明】
【００２９】
１  本考案のキースイッチ
２  基材
２ａ〜２ｄ    第１〜第４軸孔
２ｅ  第１スライド支持部
２ｆ  第２スライド支持部
２ｇ  ストッパー部
３  第１位置決め部
４  第２位置決め部
５  第１キートップ
６  第２キートップ
７  スイッチ装置
８  トーションバー
８ａ  第１ピン
８ｂ  第２ピン
８ｃ  スライドピン
９  レバーリンク
９ａ  回動軸
９ｂ  スライド軸
１０  回路基板
１１  座標入力装置
１２  入力部
１３  ベース板
【図１】
0003114445.tif 000003
【図２】
0003114445.tif 000004
【図３】
0003114445.tif 000005
【図４】
0003114445.tif 000006
【図５】
0003114445.tif 000007